(57)【特許請求の範囲】
【請求項１】
通信方法であって、
端末装置がダウンリンク制御情報を監視するためのターゲット監視リソースを決定することと、
前記ターゲット監視リソース上でダウンリンク制御情報を監視することと、を含み、
前記端末装置がダウンリンク制御情報を監視するためのターゲット監視リソースを決定することは、
前記端末装置がネットワーク機器から送信される１組の監視リソースの情報を受信し、ダウンリンク制御情報の監視機会へのニーズに応じて、前記１組の監視リソースから前記ターゲット監視リソースを決定することを含み、
前記１組の監視リソースが第１基本パラメータセットに対応し、
前記ダウンリンク制御情報の監視機会へのニーズに応じて、前記１組の監視リソースから前記ターゲット監視リソースを決定することは、
前記端末装置の現在設定している第２基本パラメータセットが前記第１基本パラメータセットと同じである場合、前記１組の監視リソースから前記ターゲット監視リソースを決定すること、又は
前記端末装置の現在設定している前記第２基本パラメータセットが前記第１基本パラメータセットと異なる場合、前記１組の監視リソースに基づいて他組の監視リソースを決定し、前記他組の監視リソースから前記ターゲット監視リソースを決定することを含むことを特徴とする、前記通信方法。
【請求項２】
前記ターゲット監視リソースが周期的な監視位置を含むことを特徴とする
請求項１に記載の方法。
【請求項３】
前記通信方法は、更に、
前記端末装置が前記ネットワーク機器の指示情報を受信することであって、前記指示情報は前記ネットワーク機器の設定した端末装置の前記ダウンリンク制御情報を監視するための監視リソースを示すためであることを含むことを特徴とする
請求項１に記載の方法。
【請求項４】
前記端末装置がダウンリンク制御情報を監視するためのターゲット監視リソースを決定することは、
前記端末装置が前記指示情報で示す監視リソースを前記ターゲット監視リソースとして決定することを含み、
前記ターゲット監視リソース上でダウンリンク制御情報を監視することは、
前記指示情報で示す監視リソース上で前記ダウンリンク制御情報を監視することを含むことを特徴とする
請求項３に記載の方法。
【請求項５】
前記端末装置がダウンリンク制御情報を監視するためのターゲット監視リソースを決定することは、
前記端末装置が前記指示情報で示す監視リソースの周期及び／又は監視位置を調整し、調整後の監視リソースを前記ターゲット監視リソースとして決定することを含み、
前記ターゲット監視リソース上でダウンリンク制御情報を監視することは、
前記調整後の監視リソース上で前記ダウンリンク制御情報を監視することを含むことを特徴とする
請求項４に記載の方法。
【請求項６】
前記端末装置が前記ネットワーク機器の指示情報を受信することは、
前記端末装置が前記ネットワーク機器から送信される前記指示情報を含むダウンリンク制御情報を受信することを含むことを特徴とする
請求項３〜５のいずれか１項に記載の方法。
【請求項７】
端末装置であって、
ダウンリンク制御情報を監視するためのターゲット監視リソースを決定するための決定モジュールと、
前記ターゲット監視リソース上でダウンリンク制御情報を監視するための通信モジュールと、を備え、
前記通信モジュールは、更に、
ネットワーク機器から送信される１組の監視リソースの情報を受信することに用いられ、
前記決定モジュールは、具体的に、
ダウンリンク制御情報の監視機会へのニーズに応じて、前記１組の監視リソースからターゲット監視リソースを決定することに用いられ、
前記１組の監視リソースが第１基本パラメータセットに対応し、前記決定モジュールはさらに、
前記端末装置の現在設定している第２基本パラメータセットが前記第１基本パラメータセットと同じである場合、前記１組の監視リソースから前記ターゲット監視リソースを決定し、又は
前記端末装置の現在設定している前記第２基本パラメータセットが前記第１基本パラメータセットと異なる場合、前記１組の監視リソースに基づいて他組の監視リソースを決定し、前記他組の監視リソースから前記ターゲット監視リソースを決定することに用いられることを特徴とする、前記端末装置。
【請求項８】
前記通信モジュールは、更に、
特定の周期を前記端末装置に設定するための前記ネットワーク機器の上位層シグナリングを受信することに用いられることを特徴とする
請求項７に記載の端末装置。
【請求項９】
前記上位層シグナリングが無線リソース制御（ＲＲＣ）シグナリングであることを特徴とする
請求項８に記載の端末装置。
【請求項１０】
前記ターゲット監視リソースはネットワーク機器がダウンリンク同期信号又はダウンリンク基準信号を伝送するための時間領域位置を含まないことを特徴とする
請求項７〜９のいずれか１項に記載の端末装置。
【請求項１１】
前記ターゲット監視リソースが周期的な監視位置を含み、前記ターゲット監視リソースが更に各監視位置に対する周波数領域リソースを含み、前記周波数領域リソースが特定の周波数領域幅又はシステム全体の帯域幅であることを特徴とする
請求項７〜１０のいずれか１項に記載の端末装置。
【請求項１２】
前記通信モジュールは、更に、
ネットワーク機器から送信される、前記端末装置が最初に前記ダウンリンク制御情報を監視する際に用いた監視リソースを設定するための設定情報を受信することに用いられることを特徴とする
請求項７〜１１のいずれか１項に記載の端末装置。
【請求項１３】
前記端末装置が最初に前記ダウンリンク制御情報を監視する際に用いた監視リソースは、
前記ネットワーク機器が前記端末装置のサービス特徴及び前記端末装置の現在設定している基本パラメータセットのうちの少なくとも１つによって決定されることを特徴とする
請求項１２に記載の端末装置。
【発明の詳細な説明】
【技術分野】
【０００１】
本願は通信分野に関し、且つより具体的に、通信方法、端末装置及びネットワーク機器に関する。
【背景技術】
【０００２】
新無線（ＮＲ：Ｎｅｗ  Ｒａｄｉｏ）システムにおいて、物理層は基本パラメータセットをサポートすることができ、１つの基本パラメータセットに対応するサブフレームは一定数のスロットを含み、前記一定数のスロットにおいて、前記端末装置はダウンリンク制御情報を監視することができるが、どのスロットにおいてダウンリンク制御情報を監視するかはネットワーク機器が端末装置に設定したものであり、このため、端末装置がダウンリンク制御情報を監視する柔軟性はより低い。
【０００３】
従って、端末装置がダウンリンク制御情報を監視する柔軟性を向上させることができる方法を必要とする。
【発明の概要】
【発明が解決しようとする課題】
【０００４】
本願の実施例は端末装置がダウンリンク制御情報を監視する柔軟性を向上させることのできる通信方法、端末装置及びネットワーク機器を提供する。
【課題を解決するための手段】
【０００５】
第１態様に係る通信方法であって、端末装置がダウンリンク制御情報を監視するためのターゲット監視リソースを決定することと、前記ターゲット監視リソース上でダウンリンク制御情報を監視することと、を含む。
【０００６】
好ましくは、ネットワーク機器は前記端末装置に１組の監視リソースを予め設定することができ、前記１組の監視リソースは少なくとも１つの監視リソースを含んでもよく、前記少なくとも１つの監視リソースにおける各監視リソースはいずれも周期的な時間領域リソースを含む。前記端末装置は前記少なくとも１つの監視リソースから前記ダウンリンク制御情報を監視するためのターゲット監視リソースを選択することができる。好ましくは、前記端末装置は更に前記少なくとも１つの監視リソースにおける第１監視リソースを調整し、例えば第１監視リソースの監視周期又は各監視周期内の監視位置の数を調整し、調整後の前記第１監視リソースを前記ターゲット監視リソースとすることができる。
【０００７】
好ましくは、前記ネットワーク機器の予め設定した前記少なくとも１つの監視リソースは１つのみの監視リソースを含み、つまり、前記ネットワーク機器が前記端末装置に１つのみの監視リソースを設定した場合、端末装置が前記１つの監視リソースに基づいてダウンリンク制御情報の監視を行えば、柔軟性がより低く、このため、前記端末装置はダウンリンク制御情報の監視機会へのニーズに応じて、前記１つの監視リソースを調整し、例えば監視周期又は各監視周期内の監視位置を調整し、調整後の前記１つの監視リソースを前記ターゲット監視リソースとすることができ、例えば、前記端末装置は監視機会を増加する必要があると決定する場合、前記端末装置は監視周期を短縮し、又は各監視周期内の監視位置の数を増加することができ、又は、前記端末装置は監視機会を減少する必要があると決定する場合、前記端末装置は監視周期を延長し、又は各監視周期内の監視位置の数を減少することができる。
【０００８】
従って、本願の実施例の通信方法において、端末装置はダウンリンク制御情報を監視するためのターゲット監視リソースを決定することができ、これにより、ダウンリンク制御リソースを監視する柔軟性を向上させ、好ましくは、前記端末装置はダウンリンク制御情報の監視機会へのニーズに応じて、予め設定された複数の監視リソースからターゲット監視リソースを決定することができ、又は、更にダウンリンク監視リソースへのニーズに応じて予め設定された監視リソースを調整し、調整後の監視リソースをターゲット監視リソースとすることができ、それにより端末がダウンリンク制御情報を監視する柔軟性を向上させる。
【０００９】
第１態様を参照して、第１態様のいくつかの実現方式では、前記ターゲット監視リソースが周期的な監視位置を含む。
【００１０】
第１態様を参照して、第１態様のいくつかの実現方式では、前記方法は、更に、前記端末装置がネットワーク機器から送信される１組の監視リソースの情報を受信することを含み、前記端末装置がダウンリンク制御情報を監視するためのターゲット監視リソースを決定することは、前記１組の監視リソースに基づいて前記ターゲット監視リソースを決定することを含む。
【００１１】
第１態様を参照して、第１態様のいくつかの実現方式では、前記１組の監視リソースに基づいて前記ターゲット監視リソースを決定することは、前記１組の監視リソース及び前記ダウンリンク制御情報の受信状況に基づいて前記ターゲット監視リソースを決定することを含む。
【００１２】
第１態様を参照して、第１態様のいくつかの実現方式では、前記１組の監視リソース及び前記ダウンリンク制御情報の受信状況に基づいて前記ターゲット監視リソースを決定することは、
第１監視リソースに含まれる少なくとも１つの監視周期内に前記ダウンリンク制御情報を監視した場合、前記１組の監視リソースから第２監視リソースを決定し、前記第１監視リソースが前記端末装置の現在前記ダウンリンク制御情報を監視するための監視リソースであることと、前記第２監視リソースを前記ターゲット監視リソースとして決定することと、を含み、前記ターゲット監視リソース上でダウンリンク制御情報を監視することは、前記第２監視リソース上で前記ダウンリンク制御情報を監視することを含む。
【００１３】
第１態様を参照して、第１態様のいくつかの実現方式では、単位時間内に前記第２監視リソースに含まれる監視位置の数が前記第１監視リソースより多い。
【００１４】
第１態様を参照して、第１態様のいくつかの実現方式では、前記１組の監視リソース及び前記ダウンリンク制御情報の受信状況に基づいて前記ターゲット監視リソースを決定することは、
第３監視リソースに含まれる少なくとも１つの周期内に前記ダウンリンク制御情報を監視しない場合、前記１組の監視リソースから第４監視リソースを決定し、前記第３監視リソースが前記端末装置の現在ダウンリンク制御情報を監視するための監視リソースであることと、前記第４監視リソースを前記ターゲット監視リソースとして決定することと、を含み、前記ターゲット監視リソース上でダウンリンク制御情報を監視することは、前記第４監視リソース上で前記ダウンリンク制御情報を監視することを含む。
【００１５】
第１態様を参照して、第１態様のいくつかの実現方式では、単位時間内に前記第４監視リソースに含まれる監視位置の数が前記第３監視リソースより少ない。
【００１６】
第１態様を参照して、第１態様のいくつかの実現方式では、前記１組の監視リソースに基づいて前記ターゲット監視リソースを決定することは、前記１組の監視リソース及び前記端末装置の現在設定している基本パラメータセットに基づいて前記ターゲット監視リソースを決定することを含む。
【００１７】
第１態様を参照して、第１態様のいくつかの実現方式では、前記１組の監視リソースが第１基本パラメータセットに対応し、前記１組の監視リソース及び前記端末装置の現在設定している基本パラメータセットに基づいて前記ターゲット監視リソースを決定することは、
前記端末装置の現在設定している第２基本パラメータセットが前記第１基本パラメータセットと同じである場合、前記１組の監視リソースから前記ターゲット監視リソースを決定し、又は
前記端末装置の現在設定している前記第２基本パラメータセットが前記第１基本パラメータセットと異なる場合、前記１組の監視リソースに基づいて他組の監視リソースを決定し、前記他組の監視リソースから前記ターゲット監視リソースを決定することを含む。
【００１８】
第１態様を参照して、第１態様のいくつかの実現方式では、前記１組の監視リソースに基づいて他組の監視リソースを決定することは、
前記１組の監視リソース及び前記第２基本パラメータセットに対応するサブキャリア間隔と前記第１基本パラメータセットに対応するサブキャリア間隔との比例関係に基づき、前記他組の監視リソースを決定することを含む。
【００１９】
第１態様を参照して、第１態様のいくつかの実現方式では、前記１組の監視リソース及び前記第２基本パラメータセットに対応するサブキャリア間隔と前記第１基本パラメータセットに対応するサブキャリア間隔との比例関係に基づき、前記他組の監視リソースを決定することは、
前記１組の監視リソースにおける第５監視リソースの周期をＡ／Ｂに乗じて、前記第５監視リソースにおける各周期における監視位置間の間隔をＡ／Ｂに乗じることと、
調整後の前記第５監視リソースを前記他組の監視リソースにおける第６監視リソースとして決定することと、を含み、
前記Ａが前記第１基本パラメータセットのサブキャリア間隔であり、前記Ｂが前記第２基本パラメータセットのサブキャリア間隔である。
【００２０】
第１態様を参照して、第１態様のいくつかの実現方式では、前記方法は、更に、
前記端末装置がネットワーク機器から送信される複数の基本パラメータセットに対応する複数組の監視リソースを受信することを含み、
前記端末装置がダウンリンク制御情報を監視するためのターゲット監視リソースを決定することは、
前記端末装置が現在設定している基本パラメータセットに基づき、前記複数組の監視リソースから対応する少なくとも１つの監視リソースを決定することと、
前記少なくとも１つの監視リソースから前記ターゲット監視リソースを決定することと、を含む。
【００２１】
第１態様を参照して、第１態様のいくつかの実現方式では、前記方法は、更に、
前記端末装置が前記ネットワーク機器の設定した端末装置の前記ダウンリンク制御情報を監視するための監視リソースを示すための前記ネットワーク機器の指示情報を受信することを含む。
【００２２】
第１態様を参照して、第１態様のいくつかの実現方式では、前記端末装置がダウンリンク制御情報を監視するためのターゲット監視リソースを決定することは、
前記端末装置が前記指示情報で示す監視リソースを前記ターゲット監視リソースとして決定することを含み、
前記ターゲット監視リソース上でダウンリンク制御情報を監視することは、
前記指示情報で示す監視リソース上で前記ダウンリンク制御情報を監視することを含む。
【００２３】
第１態様を参照して、第１態様のいくつかの実現方式では、前記端末装置がダウンリンク制御情報を監視するためのターゲット監視リソースを決定することは、
前記端末装置が前記指示情報で示す監視リソースの周期及び／又は監視位置を調整し、調整後の監視リソースを前記ターゲット監視リソースとして決定することを含み、
前記ターゲット監視リソース上でダウンリンク制御情報を監視することは、
前記調整後の監視リソース上で前記ダウンリンク制御情報を監視することを含む。
【００２４】
第１態様を参照して、第１態様のいくつかの実現方式では、前記端末装置が前記ネットワーク機器の指示情報を受信することは、
前記端末装置が前記ネットワーク機器から送信される前記指示情報を含むダウンリンク制御情報を受信することを含む。
【００２５】
第１態様を参照して、第１態様のいくつかの実現方式では、前記１組の監視リソースに基づいて前記ターゲット監視リソースを決定することは、
特定の周期で、前記１組の監視リソースから前記ダウンリンク制御情報を監視するための前記ターゲット監視リソースを繰り返し決定することを含む。
【００２６】
第１態様を参照して、第１態様のいくつかの実現方式では、前記方法は、更に、
前記端末装置が前記特定の周期を前記端末装置に設定するための前記ネットワーク機器の上位層シグナリングを受信することを含む。
【００２７】
第１態様を参照して、第１態様のいくつかの実現方式では、前記上位層シグナリングが無線リソース制御（ＲＲＣ）シグナリングである。
【００２８】
第１態様を参照して、第１態様のいくつかの実現方式では、前記各周期内には多重レベルダウンリンク制御情報における各ダウンリンク制御情報を監視するための監視位置が含まれ、前記ターゲット監視リソース上でダウンリンク制御情報を監視することは、
前記各ダウンリンク制御情報に対応する監視位置で前記各ダウンリンク制御情報を監視することを含む。
【００２９】
第１態様を参照して、第１態様のいくつかの実現方式では、前記ターゲット監視リソースは前記端末装置がデータを伝送するための時間領域位置を含まない。
【００３０】
第１態様を参照して、第１態様のいくつかの実現方式では、前記ターゲット監視リソースはネットワーク機器がダウンリンク同期信号又はダウンリンク基準信号を伝送するための時間領域位置を含まない。
【００３１】
第１態様を参照して、第１態様のいくつかの実現方式では、前記ターゲット監視リソースが更に各監視位置に対する周波数領域リソースを含み、前記周波数領域リソースが特定の周波数領域幅又はシステム全体の帯域幅である。
【００３２】
第１態様を参照して、第１態様のいくつかの実現方式では、前記方法は、更に、
前記端末装置がネットワーク機器から送信される、前記端末装置の最初に前記ダウンリンク制御情報を監視する際に用いた監視リソースを設定するための設定情報を受信することを含む。
【００３３】
第１態様を参照して、第１態様のいくつかの実現方式では、前記端末装置が最初に前記ダウンリンク制御情報を監視する際に用いた監視リソースは、
前記ネットワーク機器が前記端末装置のサービス特徴及び前記端末装置の現在設定している基本パラメータセットのうちの少なくとも１つによって決定される。
【００３４】
第２態様に係る通信方法であって、ネットワーク機器は少なくとも１つの監視リソースを決定することであって、前記少なくとも１つの監視リソースは前記端末装置がダウンリンク制御情報を監視するためのターゲット監視リソースを決定するためであることと、
前記ネットワーク機器が前記端末装置へ前記少なくとも１つの監視リソースの情報を送信することと、を含む。
【００３５】
第２態様を参照して、第２態様のいくつかの実現方式では、前記少なくとも１つの監視リソースにおける各監視リソースが周期的な監視位置を含む。
【００３６】
第２態様を参照して、第２態様のいくつかの実現方式では、前記各周期内には多重レベルダウンリンク制御情報における各ダウンリンク制御情報を監視するための監視位置が含まれる。
【００３７】
第２態様を参照して、第２態様のいくつかの実現方式では、前記方法は、更に、
前記ネットワーク機器が前記少なくとも１つの監視リソースにおける前記端末装置の前記ダウンリンク制御情報を監視するための監視リソースを示すための指示情報を前記端末装置に送信することを含む。
【００３８】
第２態様を参照して、第２態様のいくつかの実現方式では、前記ネットワーク機器が前記端末装置へ指示情報を送信することは、
前記ネットワーク機器が前記指示情報を含むダウンリンク制御情報を前記端末装置に送信することを含む。
【００３９】
第２態様を参照して、第２態様のいくつかの実現方式では、前記方法は、更に、
前記ネットワーク機器が前記端末装置に特定の周期を設定するための上位層シグナリングを前記端末装置に送信し、前記特定の周期が前記端末装置の特定の周期で前記少なくとも１つの監視リソースから前記ダウンリンク制御情報を監視するための前記ターゲット監視リソースを繰り返し決定することに用いられることを含む。
【００４０】
第２態様を参照して、第２態様のいくつかの実現方式では、前記方法は、更に、
前記ネットワーク機器が前記端末装置の最初に前記ダウンリンク制御情報を監視する際に用いた監視リソースを設定するための設定情報を前記端末装置に送信することを含む。
【００４１】
第２態様を参照して、第２態様のいくつかの実現方式では、前記端末装置が最初に前記ダウンリンク制御情報を監視する際に用いた監視リソースは、
前記ネットワーク機器が前記端末装置のサービス特徴及び前記端末装置の現在設定している基本パラメータセットのうちの少なくとも１つによって決定される。
【００４２】
第２態様を参照して、第２態様のいくつかの実現方式では、前記ネットワーク機器が少なくとも１つの監視リソースを決定することは、
前記ネットワーク機器が前記少なくとも１つの監視リソースにおける各監視リソースには前記端末装置がデータを伝送するための時間領域位置が含まれないと決定することを含む。
【００４３】
第２態様を参照して、第２態様のいくつかの実現方式では、前記ネットワーク機器が少なくとも１つの監視リソースを決定することは、
前記ネットワーク機器が前記少なくとも１つの監視リソースにおける各監視リソースには前記ネットワーク機器がダウンリンク同期信号又はダウンリンク基準信号を伝送するための時間領域位置が含まれないと決定することを含む。
【００４４】
第２態様を参照して、第２態様のいくつかの実現方式では、前記方法は、更に、
前記ネットワーク機器が複数の基本パラメータセットに対応する複数組の監視リソースの情報を前記端末装置に送信することを含む。
【００４５】
第３態様に係る端末装置であって、第１態様又はその様々な実現方式における方法を実行するためのユニットを備える。
【００４６】
第４態様に係るネットワーク機器であって、第２態様又はその様々な実現方式における方法を実行するためのユニットを備える。
【００４７】
第５態様に係る端末装置であって、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機によって第１態様における方法を実行する。
【００４８】
第６態様に係るネットワーク機器であって、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機によって第２態様における方法を実行する。
【００４９】
第７態様に係るコンピュータ可読媒体であって、前記コンピュータ可読媒体には端末装置が実行するためのプログラムコードが記憶され、前記プログラムコードは第１態様における方法を実行するための命令を含む。
【００５０】
第８態様に係るコンピュータ可読媒体であって、前記コンピュータ可読媒体にはネットワーク機器が実行するためのプログラムコードが記憶され、前記プログラムコードは第２態様における方法を実行するための命令を含む。
【発明の効果】
【００５１】
本願の実施例に係る通信方法、端末装置及びネットワーク機器は端末装置がダウンリンク制御情報を監視する柔軟性を向上させることができる。
【図面の簡単な説明】
【００５２】
【図１】図１は本願の実施例に係る無線通信システムの模式図である。
【図２】図２は本願の実施例に係る通信方法の模式的なフローチャートである。
【図３】図３は本願の実施例に係る監視リソースの一例の模式図である。
【図４】図４は本願の実施例に係る監視リソースの他例の模式図である。
【図５】図５は様々な基本パラメータセットに対応する監視リソースの一例の模式図である。
【図６】図６は特定の周期で監視リソースを繰り返し用いる模式図である。
【図７】図７は本願の他の実施例に係る通信方法の模式的なフローチャートである。
【図８】図８は本願の実施例に係る端末装置の模式的なブロック図である。
【図９】図９は本願の実施例に係るネットワーク機器の模式的なブロック図である。
【図１０】図１０は本願の他の実施例に係る端末装置の模式的なブロック図である。
【図１１】図１１は本願の他の実施例に係るネットワーク機器の模式的なブロック図である。
【発明を実施するための形態】
【００５３】
以下、図面を参照しながら本願の実施例の技術案を説明する。
【００５４】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００５５】
図１には本願の実施例に適用される無線通信システム１００を示す。前記無線通信システム１００はネットワーク機器１１０を備えてもよい。ネットワーク機器１００は端末装置と通信する機器であってもよい。ネットワーク機器１００は特定の地理的領域に通信カバレッジを提供することができ、且つ前記カバレッジ領域内の端末装置（例えば、ＵＥ）と通信することができる。好ましくは、前記ネットワーク機器１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は、前記ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００５６】
前記無線通信システム１００は更にネットワーク機器１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００５７】
好ましくは、端末装置１２０同士が装置対装置（Ｄ２Ｄ：Ｄｅｖｉｃｅ  ｔｏ  Ｄｅｖｉｃｅ）通信を行うことができる。
【００５８】
好ましくは、５Ｇシステム又はネットワークが更に新無線（ＮＲ：Ｎｅｗ  Ｒａｄｉｏ）システム又はネットワークと称されてもよい。
【００５９】
図１には１つのネットワーク機器及び２つの端末装置を例示的に示し、好ましくは、前記無線通信システム１００は複数のネットワーク機器を備えてもよく、且つ各ネットワーク機器のカバレッジ範囲内に他の数の端末装置が含まれてもよく、本願の実施例はこれを制限しない。
【００６０】
好ましくは、前記無線通信システム１００は更にネットワークコントローラ、モビリティ管理エンティティ等の他のネットワークエンティティを備えてもよく、本願の実施例はこれを制限しない。
【００６１】
本明細書における用語「システム」と「ネットワーク」が常に交互に使用されると理解すべきである。本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００６２】
図２は本願の実施例に係る通信方法２００の模式的なフローチャートであり、前記方法２００は図１に記載の無線通信システムにおける端末装置により実行されてもよいが、図２に示すように、前記方法２００は、
端末装置がダウンリンク制御情報を監視するためのターゲット監視リソースを決定するＳ２１０と、
前記ターゲット監視リソース上でダウンリンク制御情報を監視するＳ２２０と、を含む。
【００６３】
本願の実施例において、前記ターゲット監視リソースが周期的な時間領域リソースを含み、説明都合上、前記周期的な時間領域リソースの周期を監視周期と記し、各監視周期内には前記ダウンリンク制御情報を監視するための監視位置が含まれ、つまり、前記ターゲット監視リソースが周期的な監視位置を含む。好ましくは、各監視周期内の各監視位置が更に特定の周波数領域幅に対応してもよく、又は、更にシステム全体の帯域幅に対応してもよく、つまり、前記ターゲット監視リソースが周期的な時間領域リソースを含むだけでなく、更に一定の周波数領域リソースを含む。
【００６４】
本願の実施例において、前記ターゲット監視リソースに含まれる時間領域リソースがサブフレーム粒度であってもよく、シンボル粒度であってもよく、本願の実施例は前記ターゲット監視リソースの時間粒度を制限しないと理解すべきである。
【００６５】
以下、主に前記ターゲット監視リソースに含まれる周期的な時間領域リソースを説明する。制限的ではなく、例示的なものとして、図３に示すように、前記監視周期が４ミリ秒（ｍｓ）であり、各監視周期内には前記ダウンリンク制御情報を監視するために使用できる監視位置、例えば１番目及び３番目のサブフレームが含まれてもよく、好ましくは、前記各監視周期内には更に前記ダウンリンク制御情報を監視するために使用できない位置、例えば２番目のサブフレーム及び４番目のサブフレームが含まれてもよく、そうするとこれらの周期的なサブフレームセットが前記ターゲット監視リソースを構成し、つまり、前記ターゲット監視リソースが｛＃ｎ，＃ｎ＋２，＃ｎ＋４，＃ｎ＋６，＃ｎ＋８，＃ｎ＋１０，＃ｎ＋１２，＃ｎ＋１４，＃ｎ＋１６，＃ｎ＋１８・・・｝を含んでもよい。そうすると前記端末装置は各監視周期の１番目のサブフレーム及び３番目のサブフレームにおいて前記ダウンリンク制御情報を監視するが、２番目のサブフレーム及び４番目のサブフレームにおいて前記ダウンリンク制御情報を監視しなくてもよい。更に、例えば、前記各監視周期内の監視位置は疎な監視位置であってもよく、例えば、各監視周期内の上位１つ又は複数のサブフレームにおいて監視するが、他のサブフレームにおいて監視せず、又は、前記各監視周期内の中央１つ又は複数のサブフレームにおいて監視するが、他のサブフレームにおいて監視せず、又は、前記各監視周期内の最後１つ又は複数のサブフレームにおいて監視するが、他のサブフレームにおいて監視しなくてもよく、図４に示すように、各監視周期（４ｍｓ）内の２番目及び３番目のサブフレームはダウンリンク制御情報を監視することに用いられるが、１番目及び４番目のサブフレームはダウンリンク制御情報を監視することに用いることができず、そうするとこれらの周期的なサブフレームセットが前記ターゲット監視リソースを構成し、つまり、前記ターゲット監視リソースが｛＃ｎ＋１，＃ｎ＋２，＃ｎ＋５，＃ｎ＋６，＃ｎ＋９，＃ｎ＋１０，＃ｎ＋１３，＃ｎ＋１４，＃ｎ＋１７，＃ｎ＋１８・・・｝を含んでもよい。
【００６６】
本願の実施例は各監視周期内に含まれる監視位置の数を制限せず、１つ又は複数であってもよく、且つ監視位置の各監視周期内での位置を制限せず、例えば、監視位置が各監視周期の前半、中央又は後半に位置してもよく、例えば、監視周期が４ｍｓであり、各周期内の監視位置が４つのサブフレームのうちの１つ又は複数のサブフレームを含んでもよく、１つのサブフレームを含む場合、前記１つのサブフレームが４つのサブフレームのうちのいずれか１つのサブフレームであってもよく、又は、少なくとも２つのサブフレームを含む場合、前記少なくとも２つのサブフレームが連続したサブフレームであってもよく、連続しないものであってもよく、例えば、２番目のサブフレーム及び３番目のサブフレームを含み、又は、１番目のサブフレーム及び３番目のサブフレームを含んでもよく、又は、３番目のサブフレーム及び４番目のサブフレームを含んでもよいと理解すべきである。
【００６７】
各監視周期内の監視位置がサブフレーム全体であってもよく、サブフレームの一部であってもよく、サブフレーム全体は端末装置がサブフレームに含まれるすべて（７つ又は１４個）のシンボルを占有してダウンリンク制御情報を監視してもよいことを示し、サブフレームの一部は前記端末装置が該サブフレームに含まれるシンボルの一部のみを占有してダウンリンク制御情報を監視するが、サブフレームの残りのシンボルにおいて前記ダウンリンク制御情報を監視しないことを示し、例えば、サブフレームの一部は１つのサブフレームの上位２つのシンボルを含み、つまり、前記端末装置がサブフレームの上位２つのシンボルにおいてダウンリンク制御情報を監視するが、サブフレームの残りのシンボルにおいてダウンリンク制御情報を監視せず、又は、１つのサブフレームの下位３つのシンボルを含んでもよく、つまり、前記端末装置がサブフレームの下位３つのシンボルにおいてダウンリンク制御情報を監視するが、サブフレームの残りのシンボルにおいてダウンリンク制御情報を監視せず、又は、１つのサブフレームの中央２つのシンボルを含んでもよく、つまり、前記端末装置がサブフレームの中央２つのシンボルにおいてダウンリンク制御情報を監視するが、サブフレームの残りのシンボルにおいてダウンリンク制御情報を監視しないと更に理解すべきである。
【００６８】
ただし、各監視周期内には前記ダウンリンク制御情報を監視するために使用できる監視位置のみが含まれてもよく、そうすると各監視周期内に、前記端末装置は前記ダウンリンク制御情報を監視するために使用できる前記監視位置で前記ダウンリンク制御情報を監視するが、各監視周期内の他の時間領域リソースにおいて前記ダウンリンク制御情報を監視しなくてもよい。好ましくは、前記各監視周期内には更に前記ダウンリンク制御情報を監視するために使用できない位置が含まれてもよく、例えば、ネットワーク機器が前記端末装置を呼び出して１つ又は複数のスロットにおいてデータを伝送するとき、前記ダウンリンク制御情報を監視するために使用できない前記位置は前記端末装置がデータ伝送を行うための位置を含んでもよく、好ましくは、前記各監視周期内に前記ダウンリンク制御情報を監視するために使用できない位置は更に前記ネットワーク機器がダウンリンク同期信号又はダウンリンク基準信号を伝送するための位置を含んでもよく、つまり、前記ターゲット監視リソースは前記端末装置がデータ伝送を行うための時間領域リソースを含まなくてもよく、更に前記ネットワーク機器がダウンリンク同期信号及びダウンリンク基準信号を伝送するための時間領域リソースを含まなくてもよく、つまり、前記端末装置はデータ伝送のための時間領域リソースにおいてダウンリンク制御情報を監視せず、ネットワーク機器がダウンリンク同期信号及びダウンリンク基準信号を伝送する時間領域リソースにおいてダウンリンク制御情報も監視せず、それにより電力消費オーバーヘッドを低減することができる。
【００６９】
好ましくは、いくつかの実施例において、端末装置はダウンリンク制御情報を監視するためのターゲット監視リソースを決定することができ、従って、ダウンリンク制御情報を監視する柔軟性を向上させる。好ましくは、ネットワーク機器は前記端末装置に１組の監視リソースを予め設定することができ、前記１組の監視リソースは少なくとも１つの監視リソースを含んでもよく、前記少なくとも１つの監視リソースにおける各監視リソースはいずれも周期的な時間領域リソースを含み、各監視周期内にはいずれも前記ダウンリンク制御情報を監視するために使用できる監視位置が含まれてもよく、各監視リソースに対応する監視周期又は監視位置等の情報が異なる。好ましくは、前記ネットワーク機器の予め設定した前記少なくとも１つの監視リソースが複数の監視リソースを含む場合、前記端末装置は前記複数の監視リソースから前記ダウンリンク制御情報を監視するためのターゲット監視リソースを選択することができ、つまり、前記ターゲット監視リソースが前記複数の監視リソースにおける１つの監視リソースである。好ましくは、前記端末装置は更に前記複数の監視リソースにおける第１監視リソースを調整し、例えば第１監視リソースの監視周期又は各監視周期内の監視位置の数を調整し、調整後の前記第１監視リソースを前記ターゲット監視リソースとすることができる。
【００７０】
好ましくは、前記ネットワーク機器の予め設定した前記少なくとも１つの監視リソースが１つのみの監視リソースを含み、つまり、前記ネットワーク機器が前記端末装置に１つのみの監視リソースを設定した場合、端末装置が前記１つの監視リソースに基づいてダウンリンク制御情報の監視を行えば、柔軟性がより低く、このため、前記端末装置はダウンリンク制御情報の監視機会へのニーズに応じて、前記１つの監視リソースを調整し、例えば監視周期又は各監視周期内の監視位置を調整し、調整後の前記１つの監視リソースを前記ターゲット監視リソースとすることができ、例えば、前記端末装置は監視機会を増加する必要があると決定する場合、前記端末装置は監視周期を短縮し、又は各監視周期内の監視位置の数を増加することができ、又は、前記端末装置は監視機会を減少する必要があると決定する場合、前記端末装置は監視周期を延長し、又は各監視周期内の監視位置の数を減少することができる。
【００７１】
従って、本願の実施例の通信方法において、端末装置はダウンリンク制御情報を監視するためのターゲット監視リソースを決定することができ、これにより、ダウンリンク制御リソースを監視する柔軟性を向上させ、好ましくは、前記端末装置はダウンリンク制御情報の監視機会へのニーズに応じて、予め設定された複数の監視リソースからターゲット監視リソースを決定することができ、又は、更にダウンリンク監視リソースへのニーズに応じて予め設定された監視リソースを調整し、調整後の監視リソースをターゲット監視リソースとすることができ、それにより端末がダウンリンク制御情報を監視する柔軟性を向上させる。
【００７２】
好ましくは、前記端末装置はダウンリンク制御情報の過去の受信状況を考慮した上で、前記少なくとも１つの監視リソース又は１組の監視リソースから前記ターゲット監視リソースを決定することができ、例えば、前記端末装置が少なくとも１つの監視周期内に前記ダウンリンク制御情報を監視せず、つまり、アップリンクスケジューリング又はダウンリンク割り当てのためのダウンリンク制御情報の数が少ない場合、各監視周期内の監視位置が多い必要がなく、又は、頻繁に監視しなくてもよく、又は、単位時間内の監視位置が密でなくてもよく、従って、前記端末装置は前記１組の監視リソース又は少なくとも１つの監視リソースから監視位置がより疎である監視リソースを前記ターゲット監視リソースとして選択することができ、それにより前記端末装置の消費電力を低減することができる。
【００７３】
好ましくは、前記端末装置はダウンリンク制御情報の過去の受信状況を考慮した上で、少なくとも１つの監視リソース又は１組の監視リソースから前記ターゲット監視時間領域を決定することができ、例えば、前記端末装置が少なくとも１つの監視周期内に前記ダウンリンク制御情報を監視し、つまり、アップリンクスケジューリング又はダウンリンク割り当てのためのダウンリンク制御情報の数がより多い場合、各監視周期内の監視位置の需要量がより多く、又は、単位時間内の監視位置の需要量がより多く、従って、前記端末装置は少なくとも１つの監視リソース又は１組の監視リソースから監視位置がより密である監視リソースを前記ターゲット監視リソースとして選択することができ、それにより監視機会を増加することができ、これにより、ダウンリンク制御情報の受信遅延を短縮することができる。
【００７４】
好ましくは、いくつかの実施例において、前記方法は、更に、
前記端末装置がネットワーク機器から送信される１組の監視リソースの情報を受信することを含み、
前記端末装置がダウンリンク制御情報を監視するためのターゲット監視リソースを決定することは、
前記１組の監視リソースに基づいて前記ターゲット監視リソースを決定することを含む。
【００７５】
具体的に、前記ネットワーク機器は前記端末装置へ１組の監視リソースの情報を送信することができ、好ましくは、前記ネットワーク機器は上位層シグナリングによって前記端末装置に前記１組の監視リソースの情報を設定することができ、それにより前記端末装置は前記１組の監視リソースに基づいてターゲット監視リソースを決定することができ、好ましくは、前記端末装置は直接前記１組の監視リソースから前記ターゲット監視リソースを決定することができ、更に前記１組の監視リソースにおける第１監視リソースを調整し、例えば監視周期又は監視位置を調整し、調整後の前記第１監視リソースを前記ターゲット監視リソースとすることができる。
【００７６】
好ましくは、いくつかの実施例において、前記１組の監視リソースに基づいて前記ターゲット監視リソースを決定することは、
前記１組の監視リソース及び前記ダウンリンク制御情報の受信状況に基づいて前記ターゲット監視リソースを決定することを含む。
【００７７】
具体的に、前記端末装置は現在時刻前の所定期間内の前記ダウンリンク制御情報の受信状況に応じて、前記１組の監視リソースから前記ターゲット監視リソースを決定することができ、つまり、前記ターゲット監視リソースが前記１組の監視リソースにおける１つの監視リソースである。又は、前記端末装置はダウンリンク制御情報の受信状況に応じて、前記１組の監視リソースにおける第１監視リソースを調整し、次に調整後の前記第１監視リソースを前記ターゲット監視リソースとして決定することができ、好ましくは、前記端末装置は更に前記１組の監視リソースを調整し、例えば同じ比例で監視周期の拡大縮小を行い、各監視周期内の監視位置間の間隔に対して同じ比例の拡大縮小を行うことができる。例えば、所定期間例えば１つ又は複数の監視周期内に前記ダウンリンク制御情報を受信せず、前記端末装置は監視回数を減少する必要があると決定する場合、前記端末装置は前記１組の監視リソースから前記端末装置の現在使用中の監視リソースより監視回数が疎である監視リソースを前記ターゲット監視リソースとして選択することができ、好ましくは、前記端末装置が現在第２監視リソースを用いてダウンリンク制御情報を監視する場合、前記端末装置は前記第２監視リソースの監視パラメータを調整し、例えば監視周期を延長し又は各監視周期内の監視位置の数を減少することができ、それにより単位時間内の監視回数を減少する。更に、例えば、所定期間例えば１つ又は複数の監視周期内に１つ又は複数のダウンリンク制御情報を受信した場合、前記端末装置は監視回数を増加する必要があると決定する場合、前記端末装置は前記１組の監視リソースから前記端末装置の現在使用中の監視リソースより監視回数がより密である監視リソースを前記ターゲット監視リソースとして選択することができ、好ましくは、前記端末装置が現在第２監視リソースを用いてダウンリンク制御情報を監視する場合、前記端末装置は前記第２監視リソースの監視パラメータを調整し、例えば監視周期を短縮し又は各監視周期内の監視位置の数を増加することができ、それにより単位時間内の監視回数を増加する。
【００７８】
好ましくは、いくつかの実施例において、前記１組の監視リソース及び前記ダウンリンク制御情報の受信状況に基づいて前記ターゲット監視リソースを決定することは、
第１監視リソースに含まれる少なくとも１つの監視周期内に前記ダウンリンク制御情報を監視した場合、前記１組の監視リソースから第２監視リソースを決定し、前記第１監視リソースが前記端末装置の現在前記ダウンリンク制御情報を監視するための監視リソースであることと、
前記第２監視リソースを前記ターゲット監視リソースとして決定することと、を含み、
前記ターゲット監視リソース上でダウンリンク制御情報を監視することは、
前記第２監視リソース上で前記ダウンリンク制御情報を監視することを含む。
【００７９】
単位時間内に前記第２監視リソースに含まれる監視位置の数が前記第１監視リソースより多い。
【００８０】
具体的に、端末装置が現在第１監視リソースを用いて前記ダウンリンク制御情報を監視するが、前記第１監視リソースに含まれる１つ又は複数の監視周期内にいずれもダウンリンク制御情報を監視することは、前記ダウンリンク制御情報の数がより多く、この場合、監視機会を増加することでダウンリンク制御情報の受信遅延を短縮する必要があると理解されてもよく、従って、前記端末装置は前記１組の監視リソースから第２監視リソースを決定することができ、前記第２監視リソースが前記第１監視リソースより多く、又は、単位時間内の監視位置がより多く、例えば、前記第１監視リソースが４ｍｓを監視周期とし、各監視周期内に２つの監視位置が含まれる場合、４ｍｓを監視周期とし、各監視周期内に３つの監視位置を含む監視リソースが前記ターゲット監視リソースであると決定でき、又は、３ｍｓを監視周期とし、各周期内に２つの監視位置を含む監視リソースが前記ターゲット監視リソースであると決定でき、つまり、前記１組の監視リソースから単位時間内に監視位置の数がより多い監視リソースを前記ターゲット監視リソースとして決定することができる。好ましくは、前記端末装置は更に前記第１監視リソースの監視周期又は各監視周期内の監視位置を調整し、調整後の前記第１監視リソースを前記ターゲット監視リソースとして決定し、例えば監視周期を短縮し又は各監視周期内の監視位置を増加することにより、調整後の前記第１監視リソースにおける単位時間内の監視数を増加することができる。
【００８１】
好ましくは、いくつかの実施例において、前記１組の監視リソース及び前記ダウンリンク制御情報の受信状況に基づいて前記ターゲット監視リソースを決定することは、
第３監視リソースに含まれる少なくとも１つの監視周期内に前記ダウンリンク制御情報を監視しない場合、前記端末装置が前記１組の監視リソースから第４監視リソースを決定することと、
前記第４監視リソースを前記ターゲット監視リソースとして決定することと、を含み、
前記ターゲット監視リソース上でダウンリンク制御情報を監視することは、
前記第４監視リソース上で前記ダウンリンク制御情報を監視することを含む。
【００８２】
単位時間内に前記第４監視リソースに含まれる監視位置の数が前記第３監視リソースより少ない。
【００８３】
具体的に、端末装置が現在第３監視リソースを用いて前記ダウンリンク制御情報を監視するが、前記第３監視リソースに含まれる少なくとも１つの監視周期内にいずれもダウンリンク制御情報を監視しないことは、前記ダウンリンク制御情報の数がより少なく、この場合、監視回数を減少することで端末の消費電力を低減する必要があると理解されてもよく、従って、前記端末装置は前記１組の監視リソースから第４監視リソースを決定することができ、前記第４監視リソースが前記第３監視リソースより少なく、又は、単位時間内の監視位置がより少なく、例えば、前記第３監視リソースが４ｍｓを監視周期とし、各監視周期内に２つの監視位置が含まれる場合、４ｍｓを監視周期とし、各監視周期内に１つの監視位置を含む監視リソースが前記ターゲット監視リソースであると決定でき、又は、３ｍｓを監視周期とし、各周期内に１つの監視位置を含む監視リソースが前記ターゲット監視リソースであると決定できる。つまり、前記１組の監視リソースから単位時間内に監視位置の数がより少ない監視リソースを前記ターゲット監視リソースとして決定することができる。好ましくは、前記端末装置は更に前記第３監視リソースの監視周期又は各監視周期内の監視位置を調整し、調整後の前記第３監視リソースを前記ターゲット監視リソースとして決定し、例えば監視周期を延長し又は各監視周期内の監視位置を減少することにより、調整後の前記第３監視リソースにおける単位時間内の監視数を減少することができる。
【００８４】
従って、本願の実施例の通信方法において、ダウンリンク制御情報の数がより多い場合、単位時間内の監視位置の数を増加することでダウンリンク制御情報の受信遅延を短縮し、ダウンリンク制御情報の数がより少ない場合、単位時間内の監視位置の数を減少することで端末の消費電力を低減することができ、従って、ダウンリンク制御情報の監視機会へのニーズに応じて、ダウンリンク制御情報を監視するための監視リソースを柔軟に調整することができ、それにより端末の消費電力とダウンリンク制御情報の受信遅延との折衷を実現することができる。
【００８５】
好ましくは、いくつかの実施例において、前記１組の監視リソースに基づいて前記ターゲット監視リソースを決定することは、
前記１組の監視リソース及び前記端末装置の現在設定している基本パラメータセットに基づいて前記ターゲット監視リソースを決定することを含む。
【００８６】
具体的に、前記１組の監視リソースが１つの基本パラメータセットに対応してもよく、前記１組の監視リソースに対応する基本パラメータセットが基準基本パラメータセットであると理解されてもよく、前記端末装置は前記端末装置の現在設定している第１基本パラメータセット及び前記基準基本パラメータセットに基づいて前記ターゲット監視リソースを決定することができ、例えば、前記第１基本パラメータセットが前記基準基本パラメータセットと同じである場合、前記端末装置は前記１組の監視リソースから前記ターゲット監視リソースを決定することができ、１組の監視リソースからターゲット監視リソースを決定する方法は上記実施例を参照してもよく、ここで詳細な説明は省略する。又は、前記第１基本パラメータセットが前記基準基本パラメータセットと異なる場合、前記端末装置は前記１組の監視リソースを調整して、他組の監視リソースを取得し、次に前記他組の監視リソースから前記ターゲット監視リソースを決定することができ、他組の監視リソースからターゲット監視リソースを決定する方法は上記実施例における１組の監視リソースから前記ターゲット監視リソースを決定する関連説明を参照してもよく、ここで詳細な説明は省略する。又は、前記第１基本パラメータセットが前記基準基本パラメータセットと異なる場合、前記ネットワーク機器は更に前記端末装置に他組の監視リソースを設定することができ、前記他組の監視リソースが前記第１基本パラメータセットに対応し、つまり、ネットワーク機器は異なる基本パラメータに対して異なる監視リソースを設定することができる。
【００８７】
好ましくは、いくつかの実施例において、前記１組の監視リソースが第１基本パラメータセットに対応し、前記１組の監視リソース及び前記端末装置の現在設定している基本パラメータセットに基づいて前記ターゲット監視リソースを決定することは、
前記端末装置の現在設定している第２基本パラメータセットが前記第１基本パラメータセットと同じである場合、前記１組の監視リソースから前記ターゲット監視リソースを決定し、又は
前記端末装置の現在設定している前記第２基本パラメータセットが前記第１基本パラメータセットと異なる場合、前記１組の監視リソースに基づいて他組の監視リソースを決定することと、
前記他組の監視リソースから前記ターゲット監視リソースを決定することと、を含む。
【００８８】
具体的に、前記１組の監視リソースが第１基本パラメータセットに対応してもよく、前記端末装置の現在設定している基本パラメータセットが第２基本パラメータセットである場合、前記第２基本パラメータセットが前記第１基本パラメータセットと同じであれば、前記１組の監視リソースから前記ターゲット監視リソースを決定することができ、前記１組の監視リソースから前記ターゲット監視リソースを決定する方法は上記実施例を参照してもよく、ここで詳細な説明は省略する。前記第２基本パラメータセットが前記第１基本パラメータセットと異なる場合、前記端末装置は前記第１基本パラメータセットを基準基本パラメータセットとし、前記１組の監視リソースに基づいて他組の監視リソースを決定し、次に前記他組の監視リソースから前記ターゲット監視リソースを決定することができる。
【００８９】
好ましくは、いくつかの実施例において、前記１組の監視リソースに基づいて他組の監視リソースを決定することは、
前記１組の監視リソース及び前記第２基本パラメータセットに対応するサブキャリア間隔と前記第１基本パラメータセットに対応するサブキャリア間隔との比例関係に基づき、前記他組の監視リソースを決定することを含む。
【００９０】
具体的に、ＮＲシステムにおいて、物理層は複数の基本パラメータセットをサポートすることができ、異なる基本パラメータセットが異なるサブキャリア間隔で区別されてもよく、あるサブキャリア間隔に対応する基本パラメータセットを基準基本パラメータセットとすることができ、例えば１５ｋＨｚのサブキャリア間隔に対応する基本パラメータセットを基準基本パラメータセットとすることができ、時間領域において１ｍｓサブフレームに２つのスロット（ｓｌｏｔ）があり、各ｓｌｏｔに含まれるＯＦＤＭシンボルが７個又は１４個であり、残りの基本パラメータセットのサブキャリア間隔の値を１５ｋＨｚ＊２ｎにし、各サブフレームに含まれるスロット数が基準基本パラメータセットに対応する１つのサブフレームに含まれるスロット数＊２ｎである。従って、前記端末装置は基本パラメータセットの拡大縮小方式で監視リソースの拡大縮小を行うことができ、残りの基本パラメータセットに対応する監視リソースは２ｎで拡大縮小を行うこともできる。
【００９１】
好ましくは、いくつかの実施例において、前記１組の監視リソース及び前記第２基本パラメータセットに対応するサブキャリア間隔と前記第１基本パラメータセットに対応するサブキャリア間隔との比例関係に基づき、前記他組の監視リソースを決定することは、
前記１組の監視リソースにおける第５監視リソースの監視周期をＡ／Ｂに乗じて、前記第５監視リソースにおける各監視周期における監視位置間の間隔をＡ／Ｂに乗じることと、
調整後の前記第５監視リソースを前記他組の監視リソースにおける第６監視リソースとして決定することと、を含む。
【００９２】
前記Ａが前記第１基本パラメータセットのサブキャリア間隔であり、前記Ｂが前記第２基本パラメータセットのサブキャリア間隔である。
【００９３】
図５に示すように、１５ＫＨｚの基本パラメータセットが基準基本パラメータセットであり、対応する第１監視リソースの監視周期が４ｍｓであり、各監視周期内には１番目のサブフレーム及び３番目のサブフレームの監視位置が含まれる場合、３０ＫＨｚの基本パラメータセットに対応する第２監視リソースに対して、２ｎで拡大縮小を行うことができ、１５ＫＨｚに比べて３０ＫＨｚが２１で拡大縮小を行うため、前記第２監視リソースが前記第１監視リソースに対して２１で拡大縮小を行うことができる。そうすると前記第２監視リソースの監視周期が２ｍｓであり、各監視周期内の監視位置が相対的に変化せず、監視位置間の間隔が拡大縮小比率で拡大縮小を行い、つまり、２つの監視位置間の間隔が２ｍｓから１ｍｓになり、従って、単位時間内の監視位置の数が増加し、これにより、３０ＫＨｚの基本パラメータセットが１５ＫＨｚの基本パラメータセットに対応する監視リソースより多く、従って、監視機会がより多くなり、ダウンリンク制御情報の受信遅延がより短くなり、端末装置の消費電力もより大きくなり、このため、前記端末装置は現在設定している基本パラメータセットに対応する監視リソースを決定した後、更にダウンリンク制御情報の受信状況を考慮した上で、ターゲット監視リソースを決定することができ、具体的な方法は上記実施例を参照してもよく、簡潔のため、ここで詳細な説明は省略する。
【００９４】
好ましくは、いくつかの実施例において、前記方法は、更に、
前記端末装置が前記ネットワーク機器の設定した端末装置の前記ダウンリンク制御情報を監視するための監視リソースを示すための前記ネットワーク機器の指示情報を受信することを含む。
【００９５】
つまり、前記ネットワーク機器は前記端末装置に少なくとも１つの監視リソースを予め設定することができ、前記ネットワーク機器は指示情報で前記端末装置が前記少なくとも１つの監視リソースにおけるどの監視リソースを用いてダウンリンク制御情報を監視するかを動的に示すことができる。例えば、前記少なくとも１つの監視リソースに番号をつけることができ、前記指示情報は１つのリソース番号を示すことができ、前記端末装置は前記リソース番号に基づき、ネットワーク機器がどの監視リソースを設定するかを決定することができる。
【００９６】
好ましくは、いくつかの実施例において、前記端末装置が前記ネットワーク機器の指示情報を受信することは、
前記端末装置が前記ネットワーク機器から送信される前記指示情報を含むダウンリンク制御情報を受信することを含む。
【００９７】
前記端末装置はダウンリンク制御情報で前記指示情報を持つことができ、ダウンリンク制御情報で端末装置がどの監視リソースを用いて監視するかを動的に示す。
【００９８】
好ましくは、いくつかの実施例において、前記端末装置がダウンリンク制御情報を監視するためのターゲット監視リソースを決定することは、
前記端末装置が前記指示情報で示す監視リソースを前記ターゲット監視リソースとして決定することを含み、
前記ターゲット監視リソース上でダウンリンク制御情報を監視することは、
前記指示情報で示す監視リソース上で前記ダウンリンク制御情報を監視することを含む。
【００９９】
好ましくは、前記端末装置は直接前記指示情報で示す監視リソースを前記ターゲット監視リソースとして決定することができ、それにより前記指示情報で示す監視リソース上で前記ダウンリンク制御情報を監視する。
【０１００】
前記端末装置がダウンリンク制御情報を監視するためのターゲット監視リソースを決定することは、
前記端末装置が前記指示情報で示す監視リソースの監視周期及び／又は監視位置を調整し、調整後の監視リソースを前記ターゲット監視リソースとして決定することを含み、
前記ターゲット監視リソース上でダウンリンク制御情報を監視することは、
前記調整後の監視リソース上で前記ダウンリンク制御情報を監視することを含む。
【０１０１】
好ましくは、前記端末装置は前記指示情報で示す監視リソースを調整し、調整後の前記ターゲット監視リソースを前記ターゲット監視リソースとすることができ、例えば、前記端末装置は監視周期及び／又は監視位置を調整することができ、好ましくは、前記端末装置はダウンリンク制御情報の受信状況を考慮した上で、監視周期及び／又は監視位置を調整することができ、具体的な方法は上記実施例を参照してもよく、ここで詳細な説明は省略する。
【０１０２】
好ましくは、いくつかの実施例において、前記１組の監視リソースに基づいて前記ターゲット監視リソースを決定することは、
特定の周期で、前記１組の監視リソースから前記ダウンリンク制御情報を監視するための前記ターゲット監視リソースを繰り返し決定することを含む。
【０１０３】
つまり、前記端末装置は前記１組の監視リソースを繰り返し用いてダウンリンク制御情報の監視を行うことができる。具体的に、前記端末装置は１組の監視リソースを予め設定することができ、前記１組の監視リソースが複数の監視リソースを含む場合、前記端末装置は一定の周期で前記複数の監視リソースを繰り返し用いて前記ダウンリンク制御情報を監視することができ、例えば、図６に示すように、前記複数の監視リソースが監視リソース１〜監視リソース４を含み、周期がＴであり、現在時刻がｔであり、監視リソース１を用いて監視し始め、時刻ｔ＋Ｔで監視リソース２を用いて監視し始め、時刻ｔ＋２Ｔで監視リソース３を用いて監視し始め、時刻ｔ＋３Ｔで監視リソース４を用いて監視し始め、これによって類推し、前記端末装置は上記方式で前記複数の監視リソースを繰り返し用いてダウンリンク制御情報の監視を行うことができる。
【０１０４】
好ましくは、いくつかの実施例において、前記方法は、更に、
前記端末装置が前記特定の周期を前記端末装置に設定するための前記ネットワーク機器の上位層シグナリングを受信することを含む。
【０１０５】
具体的に、前記特定の周期が１つの監視リソースの使用から他の監視リソースの使用に切り替える切替周期であると考えられてもよく、前記ネットワーク機器は上位層シグナリングによって前記切り替え周期を設定することができ、それにより前記端末装置は前記特定の周期で前記１組の監視リソースを繰り返し用いてダウンリンク制御情報の監視を行うことができる。
【０１０６】
好ましくは、いくつかの実施例において、前記上位層シグナリングが無線リソース制御（ＲＲＣ：Ｒａｄｉｏ  Ｒｅｓｏｕｒｃｅ  Ｃｏｎｔｒｏｌ）シグナリングである。
【０１０７】
好ましくは、前記ネットワーク機器は前記端末装置に複数組の監視リソースを予め設定することができ、各監視リソースが１つの基本パラメータセットに対応し、つまり、前記複数組の監視リソースが複数の基本パラメータセットに対する監視リソースであり、各組の監視リソースが少なくとも１つの監視リソースを含んでもよく、この場合、前記端末装置は現在設定している基本パラメータセットに基づき、対応する１組の監視リソースを決定し、前記１組の監視リソースから前記ターゲット監視リソースを決定することができる。
【０１０８】
好ましくは、いくつかの実施例において、前記各監視周期内には多重レベルダウンリンク制御情報における各ダウンリンク制御情報を監視するための監視位置が含まれ、前記ターゲット監視リソース上でダウンリンク制御情報を監視することは、
前記各ダウンリンク制御情報に対応する監視位置で前記各ダウンリンク制御情報を監視することを含む。
【０１０９】
具体的に、ネットワーク機器は多重レベルダウンリンク制御情報によってダウンリンク割り当て又はアップリンクスケジューリングを行うことができ、例えば、（共通）Ｃｏｍｍｏｎ物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は更にＰＤＣＣＨの情報を示すことができ、そうすると前記ターゲット監視リソースは前記多重レベルダウンリンク制御情報における各ダウンリンク制御情報の監視位置を含んでもよく、それにより前記端末装置は対応する監視位置で前記各ダウンリンク制御情報を監視することができる。
【０１１０】
好ましくは、前記ターゲット監視リソースは前記端末装置がデータを伝送するための時間領域位置を含まない。
【０１１１】
具体的に、前記ネットワーク機器が前記端末装置をスケジューリングして１つ又は複数のスロットにおいてデータ伝送を行う場合、前記ターゲット監視リソースは前記端末装置がデータを伝送するための時間領域位置を含まなくてもよく、それにより前記端末装置は前記データ伝送のための位置でダウンリンク制御情報の監視を行わなくてもよく、これにより、端末の消費電力を低減することができる。
【０１１２】
好ましくは、前記ターゲット監視リソースはネットワーク機器がダウンリンク同期信号又はダウンリンク基準信号を伝送するための時間領域位置を含まない。
【０１１３】
具体的に、前記ネットワーク機器はいくつかの時間領域位置でダウンリンク同期信号又はダウンリンク基準信号を伝送することができる場合、これらの時間領域位置に対してダウンリンク制御情報の監視を行わなくてもよく、そうすると前記ターゲット監視リソースは前記ネットワーク機器がダウンリンク同期信号及びダウンリンク基準信号を伝送するための時間領域位置を含まなくてもよく、それにより前記端末装置は前記ダウンリンク同期信号及びダウンリンク基準信号を伝送するための位置でダウンリンク制御情報の監視を行わなくてもよく、これにより、端末の消費電力を低減することができる。
【０１１４】
好ましくは、いくつかの実施例において、前記ターゲット監視リソースが更に各監視位置に対する周波数領域リソースを含み、前記周波数領域リソースが特定の周波数領域幅又はシステム全体の帯域幅である。
【０１１５】
つまり、前記ターゲット監視リソースにおける時間領域リソースが周期的な時間領域リソースであってもよく、周波数領域リソースがシステム全体の帯域幅であってもよく、特定の周波数領域幅であってもよく、前記特定の周波数領域幅は更にネットワーク機器が前記端末装置に設定したものであってもよい。
【０１１６】
好ましくは、いくつかの実施例において、前記方法は、更に、
前記端末装置がネットワーク機器から送信される、前記端末装置の最初に前記ダウンリンク制御情報を監視する際に用いた監視リソースを設定するための設定情報を受信することを含む。
【０１１７】
前記端末装置が最初に前記ダウンリンク制御情報を監視する際に用いた監視リソースは、
前記ネットワーク機器が前記端末装置のサービス特徴及び前記端末装置の現在設定している基本パラメータセットのうちの少なくとも１つによって決定される。
【０１１８】
例えば、前記ネットワーク機器は前記端末装置に最初の監視リソースを設定することができ、前記ネットワーク機器は前記端末装置のサービス特徴に基づいて前記最初の監視リソースを決定することができ、前記端末装置のサービスが主に超低遅延サービスである場合、前記ネットワーク機器は前記端末装置に単位時間内に監視位置がより多い監視リソースを最初の監視リソースとして設定することができ、又は、前記端末装置のサービスの遅延への要求がより低い場合、前記ネットワーク機器は前記端末装置に単位時間内に監視位置がより少ない監視リソースを最初の監視リソースとして設定することができる。好ましくは、前記ネットワーク機器は更に前記端末装置の現在設定している基本パラメータセットに基づいて最初の監視リソースを決定することができ、例えば、前記端末装置の現在設定している基本パラメータセットがキャリア間隔を持つ基本パラメータセットである場合、監視位置がより多い監視リソースを設定し、そうでない場合、監視リソースがより少ない監視リソースを設定することができる。
【０１１９】
好ましくは、前記端末装置が繰り返しモードで監視リソースの切替を行う場合、前記最初の監視リソースは前記端末装置がどの監視リソースから開始するかを示すことができる。
【０１２０】
以上は図２〜図６を参照しながら端末装置の観点から本願の実施例に係る通信方法を詳しく説明したが、以下に図７を参照しながらネットワーク機器の観点から本願の実施例に係る通信方法を詳しく説明する。ネットワーク機器側の説明は端末装置側の説明に対応し、類似説明は以上の説明を参照してもよく、重複を避けるため、ここで詳細な説明は省略すると理解すべきである。
【０１２１】
図７は本願の他の実施例に係る通信方法７００の模式的なフローチャートであり、図７に示すように、前記方法７００は、
ネットワーク機器が前記端末装置のダウンリンク制御情報を監視するためのターゲット監視リソースを決定するための少なくとも１つの監視リソースを決定するＳ７１０と、
前記ネットワーク機器が前記端末装置へ前記少なくとも１つの監視リソースの情報を送信するＳ７２０と、を含む。
【０１２２】
好ましくは、いくつかの実施例において、前記少なくとも１つの監視リソースにおける各監視リソースが周期的な監視位置を含む。
【０１２３】
好ましくは、いくつかの実施例において、前記各周期内には多重レベルダウンリンク制御情報における各ダウンリンク制御情報を監視するための監視位置が含まれる。
【０１２４】
好ましくは、いくつかの実施例において、前記方法は、更に、
前記ネットワーク機器が前記少なくとも１つの監視リソースにおける前記端末装置の前記ダウンリンク制御情報を監視するための監視リソースを示すための指示情報を前記端末装置に送信することを含む。
【０１２５】
好ましくは、いくつかの実施例において、前記ネットワーク機器が前記端末装置へ指示情報を送信することは、
前記ネットワーク機器が前記指示情報を含むダウンリンク制御情報を前記端末装置に送信することを含む。
【０１２６】
好ましくは、いくつかの実施例において、前記方法は、更に、
前記ネットワーク機器が前記端末装置に特定の周期を設定するための上位層シグナリングを前記端末装置に送信し、前記特定の周期が前記端末装置の特定の周期で前記少なくとも１つの監視リソースから前記ダウンリンク制御情報を監視するための前記ターゲット監視リソースを繰り返し決定することに用いられることを含む。
【０１２７】
好ましくは、いくつかの実施例において、前記方法は、更に、
前記ネットワーク機器が前記端末装置の最初に前記ダウンリンク制御情報を監視する際に用いた監視リソースを設定するための設定情報を前記端末装置に送信することを含む。
【０１２８】
好ましくは、いくつかの実施例において、前記端末装置が最初に前記ダウンリンク制御情報を監視する際に用いた監視リソースは、
前記ネットワーク機器が前記端末装置のサービス特徴及び前記端末装置の現在設定している基本パラメータセットのうちの少なくとも１つによって決定される。
【０１２９】
好ましくは、いくつかの実施例において、前記ネットワーク機器が少なくとも１つの監視リソースを決定することは、
前記ネットワーク機器が前記少なくとも１つの監視リソースにおける各監視リソースには前記端末装置がデータを伝送するための時間領域位置が含まれないと決定することを含む。
【０１３０】
好ましくは、いくつかの実施例において、前記ネットワーク機器が少なくとも１つの監視リソースを決定することは、
前記ネットワーク機器が前記少なくとも１つの監視リソースにおける各監視リソースには前記ネットワーク機器がダウンリンク同期信号又はダウンリンク基準信号を伝送するための時間領域位置が含まれないと決定することを含む。
【０１３１】
好ましくは、いくつかの実施例において、前記方法は、更に、
前記ネットワーク機器が複数の基本パラメータセットに対応する複数組の監視リソースの情報を前記端末装置に送信することを含む。
【０１３２】
以上は図２〜図７を参照しながら本願の方法実施例を詳しく説明したが、以下に図８及び図１１を参照しながら本願の装置実施例を詳しく説明し、装置実施例は方法実施例に対応し、類似説明は方法実施例を参照してもよいと理解すべきである。
【０１３３】
図８には本願の実施例に係る端末装置８００の模式的なブロック図を示す。図８に示すように、前記端末装置８００は、
ダウンリンク制御情報を監視するためのターゲット監視リソースを決定するための決定モジュール８１０と、
前記ターゲット監視リソース上でダウンリンク制御情報を監視するための通信モジュール８２０と、を備える。
【０１３４】
好ましくは、いくつかの実施例において、前記ターゲット監視リソースが周期的な監視位置を含む。
【０１３５】
好ましくは、いくつかの実施例において、前記通信モジュール８２０は、更に、
ネットワーク機器から送信される１組の監視リソースの情報を受信することに用いられ、
前記決定モジュール８１０は、具体的に、
前記１組の監視リソースに基づいて前記ターゲット監視リソースを決定することに用いられる。
【０１３６】
好ましくは、いくつかの実施例において、前記決定モジュール８１０は、具体的に、
前記１組の監視リソース及び前記ダウンリンク制御情報の受信状況に基づいて前記ターゲット監視リソースを決定することに用いられる。
【０１３７】
好ましくは、いくつかの実施例において、前記決定モジュール８１０は、具体的に、
第１監視リソースに含まれる少なくとも１つの監視周期内に前記ダウンリンク制御情報を監視した場合、前記１組の監視リソースから第２監視リソースを決定し、前記第１監視リソースが前記端末装置の現在前記ダウンリンク制御情報を監視するための監視リソースであり、
前記第２監視リソースを前記ターゲット監視リソースとして決定することに用いられ、
前記通信モジュール８２０は、具体的に、
前記第２監視リソース上で前記ダウンリンク制御情報を監視することに用いられる。
【０１３８】
好ましくは、いくつかの実施例において、単位時間内に前記第２監視リソースに含まれる監視位置の数が前記第１監視リソースより多い。
【０１３９】
好ましくは、いくつかの実施例において、前記決定モジュール８１０は、具体的に、
第３監視リソースに含まれる少なくとも１つの周期内に前記ダウンリンク制御情報を監視しない場合、前記１組の監視リソースから第４監視リソースを決定し、前記第３監視リソースが前記端末装置の現在ダウンリンク制御情報を監視するための監視リソースであり、
前記第４監視リソースを前記ターゲット監視リソースとして決定することに用いられ、
前記通信モジュール８２０は、具体的に、
前記第４監視リソース上で前記ダウンリンク制御情報を監視することに用いられる。
【０１４０】
好ましくは、いくつかの実施例において、単位時間内に前記第４監視リソースに含まれる監視位置の数が前記第３監視リソースより少ない。
【０１４１】
好ましくは、いくつかの実施例において、前記決定モジュール８１０は、具体的に、
前記１組の監視リソース及び前記端末装置の現在設定している基本パラメータセットに基づいて前記ターゲット監視リソースを決定することに用いられる。
【０１４２】
好ましくは、いくつかの実施例において、前記１組の監視リソースが第１基本パラメータセットに対応し、前記根決定モジュール８１０は、具体的に、
前記端末装置の現在設定している第２基本パラメータセットが前記第１基本パラメータセットと同じである場合、前記１組の監視リソースから前記ターゲット監視リソースを決定し、又は
前記端末装置の現在設定している前記第２基本パラメータセットが前記第１基本パラメータセットと異なる場合、前記１組の監視リソースに基づいて他組の監視リソースを決定し、前記他組の監視リソースから前記ターゲット監視リソースを決定することに用いられる。
【０１４３】
好ましくは、いくつかの実施例において、前記決定モジュール８１０は、具体的に、
前記１組の監視リソース及び前記第２基本パラメータセットに対応するサブキャリア間隔と前記第１基本パラメータセットに対応するサブキャリア間隔との比例関係に基づき、前記他組の監視リソースを決定することに用いられる。
【０１４４】
好ましくは、いくつかの実施例において、前記決定モジュール８１０は、具体的に、
前記１組の監視リソースにおける第５監視リソースの周期をＡ／Ｂに乗じて、前記第５監視リソースにおける各周期における監視位置間の間隔をＡ／Ｂに乗じ、
調整後の前記第５監視リソースを前記他組の監視リソースにおける第６監視リソースとして決定することに用いられ、
前記Ａが前記第１基本パラメータセットのサブキャリア間隔であり、前記Ｂが前記第２基本パラメータセットのサブキャリア間隔である。
【０１４５】
好ましくは、いくつかの実施例において、前記通信モジュール８２０は、更に、
ネットワーク機器から送信される複数の基本パラメータセットに対応する複数組の監視リソースを受信することに用いられ、
前記決定モジュール８１０は、具体的に、
前記端末装置が現在設定している基本パラメータセットに基づき、前記複数組の監視リソースから対応する少なくとも１つの監視リソースを決定し、
前記少なくとも１つの監視リソースから前記ターゲット監視リソースを決定することに用いられる。
【０１４６】
好ましくは、いくつかの実施例において、前記通信モジュール８２０は、更に、
前記ネットワーク機器の設定した端末装置が前記ダウンリンク制御情報を監視するための監視リソースを示すための前記ネットワーク機器の指示情報を受信することに用いられる。
【０１４７】
好ましくは、いくつかの実施例において、前記決定モジュール８１０は、更に、
前記指示情報で示す監視リソースを前記ターゲット監視リソースとして決定することに用いられ、
前記通信モジュール８２０は、更に、
前記指示情報で示す監視リソース上で前記ダウンリンク制御情報を監視することに用いられる。
【０１４８】
好ましくは、いくつかの実施例において、前記決定モジュール８１０は、更に、
前記指示情報で示す監視リソースの周期及び／又は監視位置を調整し、調整後の監視リソースを前記ターゲット監視リソースとして決定することに用いられ、
前記通信モジュール８２０は、更に、
前記調整後の監視リソース上で前記ダウンリンク制御情報を監視することに用いられる。
【０１４９】
好ましくは、いくつかの実施例において、前記通信モジュール８２０は、更に、
前記ネットワーク機器から送信される前記指示情報を含むダウンリンク制御情報を受信することに用いられる。
【０１５０】
好ましくは、いくつかの実施例において、前記決定モジュール８１０は、更に、
特定の周期で、前記１組の監視リソースから前記ダウンリンク制御情報を監視するための前記ターゲット監視リソースを繰り返し決定することに用いられる。
【０１５１】
好ましくは、いくつかの実施例において、前記通信モジュール８２０は、更に、
前記特定の周期を前記端末装置に設定するための前記ネットワーク機器の上位層シグナリングを受信することに用いられる。
【０１５２】
好ましくは、いくつかの実施例において、前記上位層シグナリングが無線リソース制御（ＲＲＣ）シグナリングである。
【０１５３】
好ましくは、いくつかの実施例において、前記各周期内には多重レベルダウンリンク制御情報における各ダウンリンク制御情報を監視するための監視位置が含まれ、前記通信モジュール８２０は、具体的に、
前記各ダウンリンク制御情報に対応する監視位置で前記各ダウンリンク制御情報を監視することに用いられる。
【０１５４】
好ましくは、いくつかの実施例において、前記ターゲット監視リソースは前記端末装置がデータを伝送するための時間領域位置を含まない。
【０１５５】
好ましくは、いくつかの実施例において、前記ターゲット監視リソースはネットワーク機器がダウンリンク同期信号又はダウンリンク基準信号を伝送するための時間領域位置を含まない。
【０１５６】
好ましくは、いくつかの実施例において、前記ターゲット監視リソースが更に各監視位置に対する周波数領域リソースを含み、前記周波数領域リソースが特定の周波数領域幅又はシステム全体の帯域幅である。
【０１５７】
好ましくは、いくつかの実施例において、前記通信モジュール８２０は、更に、
ネットワーク機器から送信される、前記端末装置が最初に前記ダウンリンク制御情報を監視する際に用いた監視リソースを設定するための設定情報を受信することに用いられる。
【０１５８】
好ましくは、いくつかの実施例において、前記端末装置が最初に前記ダウンリンク制御情報を監視する際に用いた監視リソースは、
前記ネットワーク機器が前記端末装置のサービス特徴及び前記端末装置の現在設定している基本パラメータセットのうちの少なくとも１つによって決定される。
【０１５９】
図９は本願の実施例に係るネットワーク機器９００の模式的なブロック図である。図９に示すように、前記ネットワーク機器９００は、
少なくとも１つの監視リソースを決定するための決定モジュール９１０であって、前記少なくとも１つの監視リソースは前記端末装置がダウンリンク制御情報を監視するためのターゲット監視リソースを決定するためである決定モジュール９１０と、
前記端末装置へ前記少なくとも１つの監視リソースの情報を送信するための通信モジュール９２０と、を備える。
【０１６０】
好ましくは、いくつかの実施例において、前記少なくとも１つの監視リソースにおける各監視リソースが周期的な監視位置を含む。
【０１６１】
好ましくは、いくつかの実施例において、前記各周期内には多重レベルダウンリンク制御情報における各ダウンリンク制御情報を監視するための監視位置が含まれる。
【０１６２】
好ましくは、いくつかの実施例において、前記通信モジュール９２０は、更に、
前記少なくとも１つの監視リソースにおける前記端末装置が前記ダウンリンク制御情報を監視するための監視リソースを示すための指示情報を前記端末装置に送信することに用いられる。
【０１６３】
好ましくは、いくつかの実施例において、前記通信モジュール９２０は、具体的に、
前記指示情報を含むダウンリンク制御情報を前記端末装置に送信することに用いられる。
【０１６４】
好ましくは、いくつかの実施例において、前記通信モジュール９２０は、更に、
前記端末装置に特定の周期を設定するための上位層シグナリングを前記端末装置に送信することに用いられ、前記特定の周期は前記端末装置が特定の周期で前記少なくとも１つの監視リソースから前記ダウンリンク制御情報を監視するための前記ターゲット監視リソースを繰り返し決定することに用いられる。
【０１６５】
好ましくは、いくつかの実施例において、前記通信モジュール９２０は、更に、
前記端末装置が最初に前記ダウンリンク制御情報を監視する際に用いた監視リソースを設定するための設定情報を前記端末装置に送信することに用いられる。
【０１６６】
好ましくは、いくつかの実施例において、前記端末装置が最初に前記ダウンリンク制御情報を監視する際に用いた監視リソースは、
前記ネットワーク機器が前記端末装置のサービス特徴及び前記端末装置の現在設定している基本パラメータセットのうちの少なくとも１つによって決定される。
【０１６７】
好ましくは、いくつかの実施例において、前記決定モジュール９１０は、更に、
前記少なくとも１つの監視リソースにおける各監視リソースには前記端末装置がデータを伝送するための時間領域位置が含まれないと決定することに用いられる。
【０１６８】
好ましくは、いくつかの実施例において、前記決定モジュール９１０は、更に、
前記少なくとも１つの監視リソースにおける各監視リソースには前記ネットワーク機器がダウンリンク同期信号又はダウンリンク基準信号を伝送するための時間領域位置が含まれないと決定することに用いられる。
【０１６９】
好ましくは、いくつかの実施例において、前記通信モジュール９２０は、更に、
複数の基本パラメータセットに対応する複数組の監視リソースの情報を前記端末装置に送信することに用いられる。
【０１７０】
図１０に示すように、本願の実施例は更に端末装置１０００を提供し、前記端末装置１０００は図２における方法２００に対応する端末装置の内容を実行するために使用できる図８における端末装置８００であってもよい。前記端末装置１０００は入力インターフェース１０１０、出力インターフェース１０２０、プロセッサ１０３０及びメモリ１０４０を備え、前記入力インターフェース１０１０、出力インターフェース１０２０、プロセッサ１０３０及びメモリ１０４０がバスシステムを介して接続されてもよい。前記メモリ１０４０はプログラム、命令又はコードを記憶することに用いられる。前記プロセッサ１０３０は前記メモリ１０４０におけるプログラム、命令又はコードを実行することにより、入力インターフェース１０１０が信号を受信するように制御し、出力インターフェース１０２０が信号を送信するように制御し、上記方法実施例における操作を完了することに用いられる。
【０１７１】
本願の実施例において、前記プロセッサ１０３０は中央処理装置（ＣＰＵ：Ｃｅｎｔｒａｌ  Ｐｒｏｃｅｓｓｉｎｇ  Ｕｎｉｔ）であってもよく、前記プロセッサ１０３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は前記プロセッサは更にいかなる通常のプロセッサ等であってもよい。
【０１７２】
前記メモリ１０４０は読み出し専用メモリ及びランダムアクセスメモリを含んでもよく、且つプロセッサ１０３０に命令及びデータを提供する。メモリ１０４０の一部は更に不揮発性ランダムアクセスメモリを含んでもよい。例えば、メモリ１０４０に更に装置タイプ情報が記憶されてもよい。
【０１７３】
実現過程において、上記方法の各内容はプロセッサ１０３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体がメモリ１０４０に位置し、プロセッサ１０３０がメモリ１０４０における情報を読み取り、そのハードウェアと組み合わせて上記方法の内容を完了する。重複を避けるため、ここで詳細な説明は省略する。
【０１７４】
１つの具体的な実施形態において、図８における決定モジュール８１０は図１０におけるプロセッサ１０３０により実現されてもよく、端末装置８００に含まれる通信モジュール８２０は図１０における入力インターフェース１０１０及び出力インターフェース１０２０により実現されてもよい。
【０１７５】
図１１に示すように、本願の実施例は更に端末装置１１００を提供し、前記端末装置１１００は図２における方法２００に対応する端末装置の内容を実行するために使用できる図８における端末装置８００であってもよい。前記端末装置１１００は入力インターフェース１１１０、出力インターフェース１１２０、プロセッサ１１３０及びメモリ１１４０を備え、前記入力インターフェース１１１０、出力インターフェース１１２０、プロセッサ１１３０及びメモリ１１４０がバスシステムを介して接続されてもよい。前記メモリ１１４０はプログラム、命令又はコードを記憶することに用いられる。前記プロセッサ１１３０は前記メモリ１１４０におけるプログラム、命令又はコードを実行することにより、入力インターフェース１１１０が信号を受信するように制御し、出力インターフェース１１２０が信号を送信するように制御し、上記方法実施例における操作を完了することに用いられる。
【０１７６】
本願の実施例において、前記プロセッサ１１３０は中央処理装置（ＣＰＵ：Ｃｅｎｔｒａｌ  Ｐｒｏｃｅｓｓｉｎｇ  Ｕｎｉｔ）であってもよく、前記プロセッサ１１３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は前記プロセッサは更にいかなる通常のプロセッサ等であってもよい。
【０１７７】
前記メモリ１１４０は読み出し専用メモリ及びランダムアクセスメモリを含んでもよく、且つプロセッサ１１３０に命令及びデータを提供する。メモリ１１４０の一部は更に不揮発性ランダムアクセスメモリを含んでもよい。例えば、メモリ１１４０に更に装置タイプ情報が記憶されてもよい。
【０１７８】
実現過程において、上記方法の各内容はプロセッサ１１３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体がメモリ１１４０に位置し、プロセッサ１１３０がメモリ１１４０における情報を読み取り、そのハードウェアと組み合わせて上記方法の内容を完了する。重複を避けるため、ここで詳細な説明は省略する。
【０１７９】
１つの具体的な実施形態において、図９におけるネットワーク機器に含まれる決定モジュール９１０は図１１におけるプロセッサ１１３０により実現されてもよく、ネットワーク機器８００に含まれる通信モジュール９２０は図１１における入力インターフェース１１１０及び出力インターフェース１１２０により実現されてもよい。
【０１８０】
当業者であれば、本明細書に開示される実施例を参照して説明した各例示的なユニット及びアルゴリズムステップは、電子ハードウェア、又はコンピュータソフトウェアと電子ハードウェアとの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１８１】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１８２】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１８３】
分離部材として説明される前記ユニットは物理的に分離してもよく、物理的に分離しなくてもよく、ユニットとして表示される部材は物理ユニットであってもよく、物理ユニットでなくてもよく、つまり、一箇所に位置してもよく、複数のネットワークユニットに配置されてもよい。実際の必要に応じて、その一部又は全部のユニットを選択して本実施例案の目的を実現してもよい。
【０１８４】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１８５】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は前記技術案の一部はソフトウェア製品の形式で具現されてもよく、前記コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１８６】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
0006921977.tif 000002
【図２】
0006921977.tif 000003
【図３】
0006921977.tif 000004
【図４】
0006921977.tif 000005
【図５】
0006921977.tif 000006
【図６】
0006921977.tif 000007
【図７】
0006921977.tif 000008
【図８】
0006921977.tif 000009
【図９】
0006921977.tif 000010
【図１０】
0006921977.tif 000011
【図１１】
0006921977.tif 000012